(57)【特許請求の範囲】
【請求項１】
サイド板を含み、
前記サイド板の左端面には左方に開口した移動溝が形成され、前記移動溝の中には搬送機構が設置され、前記サイド板の上端面には平面ブロックがヒンジで連結され、前記平面ブロックの上端面には取手が固定的に設置され、前記サイド板の左側には回転できるホイールが設置され、使用者が前記取手を握り、前記ホイールの転がりによって、本願装置を楽に引いて運動させることができ、
前記搬送機構の左側には支持機構が設置され、前記支持機構は前記移動溝の中でスライドする頂部ブロックを含み、前記頂部ブロックの左端面には左端が外部空間の中に位置する横棒が固定的に設置され、前記横棒の下端面には伝動棒が固定的に設置され、前記伝動棒の右端面には入力ラックが嵌設され、前記入力ラックの右側には駆動ギヤが噛み合うように設置され、前記横棒の前側には回転できる半円型ギヤと支持棒とが設置され、前記駆動ギヤと前記入力ラックとの噛み合いによって、前記入力ラックを下降連動させられ、前記支持棒が前記入力ラックにつれ下降し、前記支持棒が一定の位置まで下降する時、前記半円型ギヤが前記支持棒につれ前記駆動ギヤと噛み合うまで下降し、前記半円型ギヤと前記駆動ギヤとの噛み合いによって前記半円型ギヤを回転連動させられ、これにより前記支持棒を回転連動させ、前記ホイールが上昇した後に前記支持棒と前記サイド板とは地面で支持を行い、支持角度が前記支持棒の回転につれ変わり、
前記搬送機構の上側には平面機構が設置され、前記平面機構が前記平面ブロックを回転させられ、
前記搬送機構は前記移動溝の下端壁と固定的に連結された底部ばねも含み、前記底部ばねの上端面には前記移動溝とスライドできるように連結された移動ブロックが設置され、前記移動ブロックの左端面には伝動ラックが嵌設され、前記伝動ラックと前記駆動ギヤとが噛み合っており、前記移動ブロックの左端面の下側には支持ブロックが固定的に設置され、前記支持ブロックの左端面には連結棒が固定的に設置され、前記連結棒の左端面には軸スリーブが固定的に設置され、前記軸スリーブの中には輪軸が回転できるように設置され、前記輪軸の前後端には二つの前記ホイールが対称的に、且つ固定的に設置され、前記サイド板の左端面には置き板が固定的に設置され、前記置き板の前端面にはモータが固定的に設置され、前記モータの前端面には駆動軸が回転できるように設置され、前記駆動ギヤが前記駆動軸に固定されており、
前記支持機構は前記移動溝の上端壁と固定的に連結された頂部ばねも含み、前記頂部ばねの下端と前記頂部ブロックとが固定的に連結され、前記横棒の前端面には入力軸が回転できるように設置され、前記入力軸には入力ギヤと前記半円型ギヤとが固定的に設置され、前記半円型ギヤが前記入力ギヤの前側に位置し、前記横棒の前端面の中には前方に開口したガイド溝が形成され、前記ガイド溝の中にはガイドブロックがスライドできるように設置され、前記ガイドブロックの前端には横向きラックが固定的に設置され、前記横向きラックと前記入力ギヤとが噛み合っており、前記横棒において左端部分寄りのところには捻り空間が設置され、前記捻り空間の後端壁には前端が外部空間の中に位置する捻り軸が回転できるように設置され、前記捻り空間の中にある前記捻り軸と前記捻り空間との間には第一捻りばねが設置され、外部空間の中にある前記捻り軸には出力軸と前記支持棒とが固定的に設置され、前記出力軸が前記支持棒の後側に位置し、前記出力軸と前記横向きラックとが噛み合っており、
前記平面機構は右方に開口した運動溝を含み、前記運動溝が前記支持棒の右端面の中に形成され、前記運動溝の中には運動ブロックがスライドできるように設置され、前記平面ブロックの下端面の中には下方に開口した阻み空間が設置され、前記サイド板の上端面の中には上方に開口した収納空間が設置され、前記収納空間の左端壁の中には第二捻りばねによって旋転軸が回転できるように設置され、前記旋転軸の左端と前記収納空間の左端壁とが回転できるように連結され、前記旋転軸にはリールと阻みブロックとが固定的に設置され、前記阻みブロックが前記リールの右側に位置し、前記阻みブロックの上端が前記阻み空間の中に位置し、前記リールと前記運動ブロックの右端面とが細糸によって連結されており、
前記モータを始動し、前記駆動軸を回転連動させ、前記駆動ギヤが前記駆動軸につれ回転し、前記駆動ギヤと前記伝動ラックとの噛み合いによって、前記伝動ラックが駆動されて上昇し、前記ホイールが前記伝動ラックにつれ一定の距離を上昇することを特徴とする野外用の油絵写生の携帯式イーゼル。
【請求項２】
前記平面ブロックの右端面には頂部クリップが二つ装着されていることを特徴とする請求項１に記載の野外用の油絵写生の携帯式イーゼル。
【請求項３】
前記サイド板の右端面には底部クリップが二つ装着されていることを特徴とする請求項１に記載の野外用の油絵写生の携帯式イーゼル。
【発明の詳細な説明】
【技術分野】
【０００１】
本願発明は美術用具分野を取り上げて、具体的には野外用の油絵写生の携帯式イーゼルである。
【背景技術】
【０００２】
人々の生活水準の向上につれて、人々が生活に対する要求も高まり、暇の時に、上品な芸術の一つとしての油絵写生をすることで、心身をリラックスさせることと、情操を陶冶することができる。油絵の色が鮮やかで、外観が精美で、人々に好まれる。しかし、現有の油絵イーゼルのほとんどは機能が単一で、携帯には手に提げる必要があり、大変であり、且つ多数が調節できなく、適応性が悪く、使用者の絵描きに対する異なる要求を満たせない。
【先行技術文献】
【特許文献】
【０００３】
【特許文献１】中国特許出願公開第１０８２５７４２６号明細書
【発明の概要】
【発明が解決しようとする課題】
【０００４】
本願発明は野外用の油絵写生の携帯式イーゼルを提供し、油絵イーゼルの搬送しにくいことと、機能が単一であることなどの問題を解決することを目的とする。
【課題を解決するための手段】
【０００５】
本願発明は以下の技術プランを通じて実現する。
【０００６】
本願発明の野外用の油絵写生の携帯式イーゼルは、サイド板を含み、前記サイド板の左端面には左方に開口した移動溝が形成され、前記移動溝の中には搬送機構が設置され、前記サイド板の上端面には平面ブロックがヒンジで連結され、前記平面ブロックの上端面には取手が固定的に設置され、前記サイド板の左側には回転できるホイールが設置され、使用者が前記取手を握り、前記ホイールの転がりによって、本願装置を楽に引いて運動させることができ、
前記搬送機構の左側には支持機構が設置され、前記支持機構は前記移動溝の中でスライドする頂部ブロックを含み、前記頂部ブロックの左端面には左端が外部空間の中に位置する横棒が固定的に設置され、前記横棒の下端面には伝動棒が固定的に設置され、前記伝動棒の右端面には入力ラックが嵌設され、前記入力ラックの右側には駆動ギヤが噛み合うように設置され、前記横棒の前側には回転できる半円型ギヤと支持棒とが設置され、前記駆動ギヤと前記入力ラックとの噛み合いによって、前記入力ラックを下降連動させられ、前記支持棒が前記入力ラックにつれ下降し、前記支持棒が一定の位置まで下降する時、前記半円型ギヤが前記支持棒につれ前記駆動ギヤと噛み合うまで下降し、前記半円型ギヤと前記駆動ギヤとの噛み合いによって前記半円型ギヤを回転連動させられ、これにより前記支持棒を回転連動させ、前記ホイールが上昇した後に前記支持棒と前記サイド板とは地面で支持を行い、支持角度が前記支持棒の回転につれ変わり、
前記搬送機構の上側には平面機構が設置され、前記平面機構が前記平面ブロックを回転させられる。
【０００７】
好ましくは、前記搬送機構は前記移動溝の下端壁と固定的に連結された底部ばねも含み、前記底部ばねの上端面には前記移動溝とスライドできるように連結された移動ブロックが設置され、前記移動ブロックの左端面には伝動ラックが嵌設され、前記伝動ラックと前記駆動ギヤとが噛み合っており、前記移動ブロックの左端面の下側には支持ブロックが固定的に設置され、前記支持ブロックの左端面には連結棒が固定的に設置され、前記連結棒の左端面には軸スリーブが固定的に設置され、前記軸スリーブの中には輪軸が回転できるように設置され、前記輪軸の前後端には二つの前記ホイールが対称的に、且つ固定的に設置され、前記サイド板の左端面には置き板が固定的に設置され、前記置き板の前端面にはモータが固定的に設置され、前記モータの前端面には駆動軸が回転できるように設置され、前記駆動ギヤが前記駆動軸に固定されている。
【０００８】
好ましくは、前記支持機構は前記移動溝の上端壁と固定的に連結された頂部ばねも含み、前記頂部ばねの下端と前記頂部ブロックとが固定的に連結され、前記横棒の前端面には入力軸が回転できるように設置され、前記入力軸には入力ギヤと前記半円型ギヤとが固定的に設置され、前記半円型ギヤが前記入力ギヤの前側に位置し、前記横棒の前端面の中には前方に開口したガイド溝が形成され、前記ガイド溝の中にはガイドブロックがスライドできるように設置され、前記ガイドブロックの前端には横向きラックが固定的に設置され、前記横向きラックと前記入力ギヤとが噛み合っており、前記横棒において左端部分寄りのところには捻り空間が設置され、前記捻り空間の後端壁には前端が外部空間の中に位置する捻り軸が回転できるように設置され、前記捻り空間の中にある前記捻り軸と前記捻り空間との間には第一捻りばねが設置され、外部空間の中にある前記捻り軸には出力軸と前記支持棒とが固定的に設置され、前記出力軸が前記支持棒の後側に位置し、前記出力軸と前記横向きラックとが噛み合っている。
【０００９】
好ましくは、前記平面機構は右方に開口した運動溝を含み、前記運動溝が前記支持棒の右端面の中に形成され、前記運動溝の中には運動ブロックがスライドできるように設置され、前記平面ブロックの下端面の中には下方に開口した阻み空間が設置され、前記サイド板の上端面の中には上方に開口した収納空間が設置され、前記収納空間の左端壁の中には第二捻りばねによって旋転軸が回転できるように設置され、前記旋転軸の左端と前記収納空間の左端壁とが回転できるように連結され、前記旋転軸にはリールと阻みブロックとが固定的に設置され、前記阻みブロックが前記リールの右側に位置し、前記阻みブロックの上端が前記阻み空間の中に位置し、前記リールと前記運動ブロックの右端面とが細糸によって連結されている。
【００１０】
好ましくは、前記平面ブロックの右端面には頂部クリップが二つ装着されている。
【００１１】
好ましくは、前記サイド板の右端面には底部クリップが二つ装着されている。
【発明の効果】
【００１２】
本願発明の有益効果は：本願装置は未使用時に収縮されることができ、スペースを節約し、搬送する時に、装置はスーツケースに類似する構造を用いることで、体力を節約し、搬送に便利であり、使用時に高度と傾斜度とを自在に調節でき、これにより異なる使用者に適応し、小幅の油絵をかく時、平面を広げられ、使用者の絵をかくことに便利を与える。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の野外用の油絵写生の携帯式イーゼルの全体全断面の正面構成模式図
【図２】図２は図１のＡの拡大模式図
【図３】図３は図１のＢの拡大模式図
【図４】図４は図１のＤ―Ｄ方向からの模式図
【図５】図５は図２のＣ―Ｃ方向からの模式図
【発明を実施するための形態】
【００１５】
図１〜５を参照し、本願発明の野外用の油絵写生の携帯式イーゼルは、サイド板１０を含み、前記サイド板１０の左端面には左方に開口した移動溝１２が形成され、前記移動溝１２の中には搬送機構７０が設置され、前記サイド板１０の上端面には平面ブロック２９がヒンジで連結され、前記平面ブロック２９の上端面には取手５１が固定的に設置され、前記サイド板１０の左側には回転できるホイール２１が設置され、使用者が前記取手５１を握り、前記ホイール２１の転がりによって、本願装置を楽に引いて運動させることができ、前記搬送機構７０の左側には支持機構７１が設置され、前記支持機構７１は前記移動溝１２の中でスライドする頂部ブロック３２を含み、前記頂部ブロック３２の左端面には左端が外部空間の中に位置する横棒３１が固定的に設置され、前記横棒３１の下端面には伝動棒２７が固定的に設置され、前記伝動棒２７の右端面には入力ラック２６が嵌設され、前記入力ラック２６の右側には駆動ギヤ１４が噛み合うように設置され、前記横棒３１の前側には回転できる半円型ギヤ３７と支持棒２４とが設置され、前記駆動ギヤ１４と前記入力ラック２６との噛み合いによって、前記入力ラック２６を下降連動させられ、前記支持棒２４が前記入力ラック２６につれ下降し、前記支持棒２４が一定の位置まで下降する時、前記半円型ギヤ３７が前記支持棒２４につれ前記駆動ギヤ１４と噛み合うまで下降し、前記半円型ギヤ３７と前記駆動ギヤ１４との噛み合いによって前記半円型ギヤ３７を回転連動させられ、これにより前記支持棒２４を回転連動させ、前記ホイール２１が上昇した後に前記支持棒２４と前記サイド板１０とは地面で支持を行い、支持角度が前記支持棒２４の回転につれ変わり、
前記搬送機構７０の上側には平面機構７２が設置され、前記平面機構７２が前記平面ブロック２９を回転させられる。
【００１６】
有益的には、前記搬送機構７０は前記移動溝１２の下端壁と固定的に連結された底部ばね１７も含み、前記底部ばね１７の上端面には前記移動溝１２とスライドできるように連結された移動ブロック１６が設置され、前記移動ブロック１６の左端面には伝動ラック１５が嵌設され、前記伝動ラック１５と前記駆動ギヤ１４とが噛み合っており、前記移動ブロック１６の左端面の下側には支持ブロック１８が固定的に設置され、前記支持ブロック１８の左端面には連結棒１９が固定的に設置され、前記連結棒１９の左端面には軸スリーブ２２が固定的に設置され、前記軸スリーブ２２の中には輪軸２０が回転できるように設置され、前記輪軸２０の前後端には二つの前記ホイール２１が対称的に、且つ固定的に設置され、前記サイド板１０の左端面には置き板２５が固定的に設置され、前記置き板２５の前端面にはモータ５０が固定的に設置され、前記モータ５０の前端面には駆動軸１３が回転できるように設置され、前記駆動ギヤ１４が前記駆動軸１３に固定されている。
【００１７】
有益的には、前記支持機構７１は前記移動溝１２の上端壁と固定的に連結された頂部ばね５４も含み、前記頂部ばね５４の下端と前記頂部ブロック３２とが固定的に連結され、前記横棒３１の前端面には入力軸３８が回転できるように設置され、前記入力軸３８には入力ギヤ３６と前記半円型ギヤ３７とが固定的に設置され、前記半円型ギヤ３７が前記入力ギヤ３６の前側に位置し、前記横棒３１の前端面の中には前方に開口したガイド溝３５が形成され、前記ガイド溝３５の中にはガイドブロック３４がスライドできるように設置され、前記ガイドブロック３４の前端には横向きラック４０が固定的に設置され、前記横向きラック４０と前記入力ギヤ３６とが噛み合っており、前記横棒３１において左端部分寄りのところには捻り空間４８が設置され、前記捻り空間４８の後端壁には前端が外部空間の中に位置する捻り軸３３が回転できるように設置され、前記捻り空間４８の中にある前記捻り軸３３と前記捻り空間４８との間には第一捻りばね４７が設置され、外部空間の中にある前記捻り軸３３には出力軸４９と前記支持棒２４とが固定的に設置され、前記出力軸４９が前記支持棒２４の後側に位置し、前記出力軸４９と前記横向きラック４０とが噛み合っている。
【００１８】
有益的には、前記平面機構７２は右方に開口した運動溝５２を含み、前記運動溝５２が前記支持棒２４の右端面の中に形成され、前記運動溝５２の中には運動ブロック５３がスライドできるように設置され、前記平面ブロック２９の下端面の中には下方に開口した阻み空間４３が設置され、前記サイド板１０の上端面の中には上方に開口した収納空間４６が設置され、前記収納空間４６の左端壁の中には第二捻りばね４５によって旋転軸４２が回転できるように設置され、前記旋転軸４２の左端と前記収納空間４６の左端壁とが回転できるように連結され、前記旋転軸４２にはリール４１と阻みブロック４４とが固定的に設置され、前記阻みブロック４４が前記リール４１の右側に位置し、前記阻みブロック４４の上端が前記阻み空間４３の中に位置し、前記リール４１と前記運動ブロック５３の右端面とが細糸２８によって連結されている。
【００１９】
有益的には、前記平面ブロック２９の右端面には頂部クリップ３０が二つ装着されている。
【００２０】
有益的には、前記サイド板１０の右端面には底部クリップ１１が二つ装着されている。
【００２１】
装置全体の作動手順は以下の通りである。
【００２２】
１、  普段絵を描かない時に、使用者が取手５１を引くことで、ホイール２１を地面で転がし、楽に装置を移動できる。
【００２３】
２、  絵を描く時に、モータ５０を始動し、駆動軸１３を回転連動させ、駆動ギヤ１４が駆動軸１３につれ回転し、駆動ギヤ１４と伝動ラック１５との噛み合いによって、伝動ラック１５が駆動されて上昇し、ホイール２１が伝動ラック１５につれ一定の距離を上昇し、これによりホイール２１の下端がサイド板１０の下端面の上側に位置し、駆動ギヤ１４と入力ラック２６との噛み合いによって、入力ラック２６が駆動されて下降し、支持棒２４が入力ラック２６につれ半円型ギヤ３７と駆動ギヤ１４とが噛み合うまで一定の距離を下降する。
【００２４】
３、  半円型ギヤ３７と駆動ギヤ１４との噛み合いによって、半円型ギヤ３７が駆動されて回転し、入力ギヤ３６が半円型ギヤ３７につれ回転し、入力ギヤ３６と横向きラック４０との噛み合いによって、横向きラック４０が駆動されて右方へ運動し、横向きラック４０と出力軸４９との噛み合いによって、出力軸４９が駆動されて回転し、支持棒２４が出力軸４９につれ回転し、これにより支持棒２４とサイド板１０とを調節して地面でイーゼルを支持できる支持角度を形成させ、使用者の要求を満たす。
【００２５】
４、  使用者が平面を利用して絵を描く時に、支持棒２４が限界まで回転し、支持棒２４が細糸２８を引き動かし、リール４１を回転連動させ、阻みブロック４４がリール４１につれ回転し、これにより阻みブロック４４が阻み空間４３から離脱し、この時に平面ブロック２９が反時計回りに九十度回転して絵を描くための平面になり、底部クリップ１１と頂部クリップ３０とが画紙を挟むことができ、平面ブロック２９を回してサイド板１０の上側に戻した後、モータ５０を始動し、これにより駆動軸１３を逆回転させることで装置を復帰させることができる。
【００２６】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】      （修正有）【課題】野外用の油絵写生の携帯式イーゼルを提供する。【解決手段】支持板１０を含み、支持板の左端面には左方に開口した移動溝１２が形成され、移動溝の中には搬送機構７０が設置され、支持板の上端面には平面ブロック２９がヒンジで連結され、平面ブロックの上端面には取手５１が固定的に設置され、装置は未使用時に収縮されることができ、スペースを節約し、搬送する時に、装置はスーツケースに類似する構造を用いることで、体力を節約し、搬送に便利であり、使用時に高度と傾斜度とを自在に調節でき、これにより異なる使用者に適応し、小幅の油絵をかく時、平面を広げられるよう設けられている。【選択図】図１【図１】
0006827619.tif 000002
【図２】
0006827619.tif 000003
【図３】
0006827619.tif 000004
【図４】
0006827619.tif 000005
【図５】
0006827619.tif 000006